(57)【要約】      （修正有）【課題】家電製品に用いて水を貯めるために、自動停止の誤動作を防止可能なタンクを提供する。【解決手段】リードスイッチ制御のタンクは、中空状の殻部材１０と、摺動可能に該殻部材１０に取り付けられる水受容器２０と、該水受容器２０の一側の壁に枢設され、一側に駆動桿３１が延設され、該駆動桿３１に磁石が取り付けられる浮き部材３０と、該殻部材１０の外側の壁かつ駆動桿３１と対応する箇所に該駆動桿３１と間隔をおいて装着されるリードスイッチ４０と、を有し、その内、該リードスイッチ４０は、管体及び２枚のリードを備え、これらのリードはそれぞれ、管体の両端に挿設され、外部段及び内部段を含み、該外部段が管体から外部に突出しながら外部の回路と電気接続し、該内部段が他方の内部段と接触しないように並んで管体の内部に封入される。【選択図】図４
0003188195.tif 000002
【実用新案登録請求の範囲】
【請求項１】
中空状の殻部材と、
摺動可能に前記殻部材に取り付けられる水受容器と、
前記水受容器の一側の壁に枢設され、一側に駆動桿が延設され、該駆動桿に磁石が取り付けられる浮き部材と、
前記殻部材の外側の壁かつ駆動桿と対応する箇所に該駆動桿と間隔をおいて装着され、管体及び２枚のリードを備え、その内、該リードはそれぞれ、管体の両端に挿設され、外部段及び内部段を含み、該外部段が管体から外部に突出しながら外部の回路と電気接続し、該内部段が他方の内部段と接触しないように並んで管体の内部に封入されるリードスイッチと、を有することを特徴とするリードスイッチ制御のタンク。
【請求項２】
前記磁石が駆動桿の先端に取り付けられ、
前記リードスイッチが駆動桿の先端と対応するように装着されることを特徴とする請求項１に記載のリードスイッチ制御のタンク。
【請求項３】
前記殻部材の一側の壁に貫通孔が形成され、
前記水受容器の一側の壁に殻部材の貫通孔と連通する切欠き口が形成されることを特徴とする請求項１または２に記載のリードスイッチ制御のタンク。
【請求項４】
前記殻部材の一側の壁に入り口が形成され、
前記水受容器が入り口から摺動可能に殻部材に取り付けられることを特徴とする請求項１または２に記載のリードスイッチ制御のタンク。
【請求項５】
前記殻部材の他側の壁に入り口が形成され、該殻部材の貫通孔が壁に入り口と反対する側に形成され、
前記水受容器が入り口から摺動可能に殻部材に取り付けられることを特徴とする請求項３に記載のリードスイッチ制御のタンク。
【請求項６】
前記浮き部材が水受容器の上縁近傍に枢設されることを特徴とする請求項１乃至５の何れか１項に記載のリードスイッチ制御のタンク。
【考案の詳細な説明】
【技術分野】
【０００１】
本考案は、家電製品の除湿機に用いて水を貯めるためのタンクに関するものである。
【背景技術】
【０００２】
既存の除湿機には、除湿によって取り除いた水を貯めるためのタンクが設置され、タンクの水漏れを防ぐために、タンクが満水になると自動的に運転を停止し、水を捨ててからタンクを正しくいれると、運転が再開することができる。
【０００３】
図１０及び図１１に示すように、既存の除湿機は、タンクに貯めた水量に伴って除湿機の運転を制御するために、殻部材５０と、ケース６０と、浮き部材７０と、マイクロスイッチ８０を備え、その内、該ケース６０は、摺動可能に殻部材５０の内部に取り付けられ、該浮き部材７０は、枢転可能にケース６０の上部に設置され、該浮き部材７０の外側の壁にケース６０を貫通する駆動桿７０１が延設され、該マイクロスイッチ８０は、ケース６０の外側の壁に装着され、該マイクロスイッチ８０における駆動桿７０１と対応する箇所にスイッチレバー８０１が枢設される。
【０００４】
既存の除湿機を使用する時、通常の状態においては、浮き部材７０が水平状となっていることから、駆動桿７０１がマイクロスイッチ８０のスイッチレバー８０１を垂直状に押圧し、この時、マイクロスイッチ８０の制御により除湿機を正常に運転しながら、空気中の湿気を取り除いた水をケース６０に貯める。そして、浮き部材７０がケース６０に貯めた水量に伴って枢転し始め、満水の時には、浮き部材７０の駆動桿７０１がスイッチレバー８０１から脱離してスイッチレバー８０１の下端とケース６０の壁の間に移動し、この時、スイッチレバー８０１が弾性体の復元力によりややケース６０の内部へ枢動し、除湿機の運転を自動停止にさせる。
【０００５】
一旦、除湿機の運転を自動停止になると、使用者がケース６０を殻部材５０から取り外してケース６０の水を捨てて、浮き部材７０を水平状に復位するかつ駆動桿７０１がスイッチレバー８０１に当接するように、もう一度ケース６０を殻部材５０に取り付けないと、除湿機の運転を再開することはしない。
【考案の概要】
【考案が解決しようとする課題】
【０００６】
しかしながら、既存の除湿機を使用する時、使用者が不注意で除湿機を逆に放置したり、揺動したりして、駆動桿がスイッチレバーの下端に係合してしまうと、その浮き部材を水平状に戻ることができなく、ケースの水量がまだ浮き部材のところに貯めていなくても、除湿機の運転が自動停止になってしまう。この状態を解除するために、使用者がケースを外側へ引いて殻部材から取り外して、もう一度ケースを殻部材に取り付け、駆動桿がスイッチレバーを押圧する状態まで、この動作を繰り返し、そうしないと、除湿機の運転が再開できないので、使用上、非常に不便であった。
【課題を解決するための手段】
【０００７】
本考案に係るリードスイッチ制御のタンクは、中空状の殻部材と、摺動可能に前記殻部材に取り付けられる水受容器と、前記水受容器の一側の壁に枢設され、一側に駆動桿が延設され、該駆動桿に磁石が取り付けられる浮き部材と、前記殻部材の外側の壁かつ駆動桿と対応する箇所に該駆動桿と間隔をおいて装着されるリードスイッチと、を有し、その内、該リードスイッチは、管体及び２枚のリードを備え、これらのリードはそれぞれ、管体の両端に挿設され、外部段及び内部段を含み、該外部段が管体から外部に突出しながら外部の回路と電気接続し、該内部段が他方の内部段と接触しないように並んで管体の内部に封入される。
【０００８】
かかるリードスイッチ制御のタンクにおいて、前記磁石が駆動桿の先端に取り付けられ、前記リードスイッチが駆動桿の先端と対応するように装着されることが好ましい。
【０００９】
かかるリードスイッチ制御のタンクにおいて、前記殻部材の一側の壁に貫通孔が形成され、前記水受容器の一側の壁に殻部材の貫通孔と連通する切欠き口が形成されることが好ましい。
【００１０】
かかるリードスイッチ制御のタンクにおいて、前記殻部材の一側の壁に入り口が形成され、前記水受容器が入り口から摺動可能に殻部材に取り付けられることが好ましい。
【００１１】
かかるリードスイッチ制御のタンクにおいて、前記殻部材の他側の壁に入り口が形成され、該殻部材の貫通孔が壁に入り口と反対する側に形成され、前記水受容器が入り口から摺動可能に殻部材に取り付けられることが好ましい。
【００１２】
かかるリードスイッチ制御のタンクにおいて、前記浮き部材が水受容器の上縁近傍に枢設されることが好ましい。
【考案の効果】
【００１３】
本考案のリードスイッチ制御のタンクは、主に磁石の吸着力を用いて、駆動桿とリードスイッチとの相対位置により、リードスイッチのリードを接触したり、分離したりさせることによって、除湿機の通電状態または無通電状態を制御する。この制御方法によれば、浮き部材の駆動桿がリードスイッチに接触または係合することはないので、使用者が不注意で除湿機を移動したり、ぶつかったりしても、浮き部材が自動的に水平状に復位し、満水になるまえにの自動停止の誤動作はない。
【００１４】
また、水受容器の水量を所定の程度（例えば、満水の程度）になるまえに、駆動桿の磁石がリードの内部段に対応する状態を維持し続き、水受容器の水量を所定の程度に貯めると、駆動桿が枢転し始め、駆動桿の先端の磁石がリードの内部段からずれれば、リードスイッチの制御により除湿機の回路を開いて無通電状態になって自動停止する。この時、除湿機の運転を再開するために、使用者が水受容器の水を捨ててから水受容器をもう一度殻部材に取り付け、駆動桿の先端の磁石がリードの内部段と対応すると、除湿機の回路を閉ざして通電状態に戻り、簡単に元の運転状態に戻ることができる。
【図面の簡単な説明】
【００１５】
【図１】本考案に係るリードスイッチ制御のタンクの斜視図である。
【図２】本考案に係るリードスイッチ制御のタンクの後方視斜視図である。
【図３】本考案に係るリードスイッチ制御のタンクの部分分解斜視図である。
【図４】本考案に係るリードスイッチ制御のタンクの分解斜視図である。
【図５】本考案に係るリードスイッチ制御のタンクにおけるリードスイッチの分解斜視図である。
【図６】本考案に係るリードスイッチ制御のタンクの側面視断面図である。
【図７】本考案に係るリードスイッチ制御のタンクにおいて、リードスイッチの制御により通電状態を示す部分拡大側面視断面図である。
【図８】本考案に係るリードスイッチ制御のタンクにおいて、リードスイッチの制御により無通電状態を示す側面視断面図である。
【図９】本考案に係るリードスイッチ制御のタンクにおいて、リードスイッチの制御により無通電状態を示す部分拡大側面視断面図である。
【図１０】既存のタンクにおいて、駆動桿がスイッチレバーを押圧して通電状態を示す側面視断面図である。
【図１１】既存のタンクにおいて、駆動桿がスイッチレバーから脱離して無通電状態を示す側面視断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１及び図２に示すように、本考案に係るリードスイッチ制御のタンクは、殻部材１０と、水受容器２０と、浮き部材３０と、リードスイッチ４０を有する。図２、図３、図６に示すように、前記殻部材１０は、中空状を呈し、一側の壁に入り口１１が形成され、他側の壁に貫通孔１２が形成される。前記水受容器２０は、入り口１１から摺動可能に殻部材１０に取り付けられ、上部に開口２１が形成され、一側の壁における殻部材１０の貫通孔１２に対応する箇所に切欠き口２２が形成され、且つ、該切欠き口２２が貫通孔１２と連通する（図３及び図６の如く）。
【００１８】
図３及び図４に示すように、前記浮き部材３０は、水受容器２０の一側の壁かつ上縁近傍に枢設され、一側に水受容器２０の切欠き口２２及び殻部材１０の入り口１１を通過する駆動桿３１が殻部材１０に向かって延設され、該駆動桿３１の先端に磁石３２が取り付けられる。
【００１９】
図４及び図５に示すように、前記リードスイッチ４０は、殻部材１０の外側の壁かつ駆動桿３１の先端と対応する箇所に、該駆動桿３１と間隔をおいて装着され、管体４１及び２枚のリード４２を備え、該リード４２はそれぞれ、管体４１の両端に挿設され、外部段４２１及び内部段４２２を含み、該外部段４２１が管体４１から外部に突出しながら外部の回路と電気接続し、該内部段４２２が他方の内部段４２２と接触しないように並んで管体４１の内部に封入される。
【００２０】
図６及び図７に示すように、除湿機を使用する時、通常の状態において、浮き部材３０が水平状となっており、駆動桿３１の先端の磁石３２がリードスイッチ４０と対応するようになることから、磁石３２からの吸着力により２枚のリード４２の内部段４２２を吸引して互いに接触させ、このため、除湿機の回路を閉ざして通電状態とし、除湿機を正常に運転することができる。
【００２１】
一方、図８及び図９に示すように、除湿機を用いて空気中の湿気を取り除き、湿気からの水をだんだん水受容器２０に貯めると、浮き部材３０が水受容器２０の水量に伴って枢転し始め、駆動桿３１の先端の磁石３２がリード４２の内部段４２２と対応しなくなるように移動し、磁石３２の吸着力を消去すれば、リード４２の内部段４２２が自らの弾性により互いに接触しないように復位し、除湿機の回路を開いて無通電状態とすることから、除湿機を自動停止になる。この時、使用者が水受容器２０を殻部材１０から取り外して水を捨てて、もう一度水受容器２０を殻部材１０に取り付けると、除湿機の再運転を行うことができる。
【００２２】
本考案に係るリードスイッチ制御のタンクは、主に駆動桿３１の磁石３２とリードスイッチ４０のリード４２の内部段４２２との相対位置によって、除湿機の通電状態または無通電状態を制御することから、駆動桿３１がリードスイッチ４０に接触または係合することはなく、使用者が不注意で除湿機を移動したり、ぶつかったりしても、浮き部材３０が自動的に水平状に復位することができ、自動停止の誤動作はない。
【００２３】
また、水受容器２０の水量を所定の程度（例えば、満水の程度）になるまえに、駆動桿３１の磁石３２がリード４２の内部段４２２に対応する状態を維持し続き、水受容器２０の水量を所定の程度に貯めると、駆動桿３１の枢転により磁石３２がリード４２の内部段４２２から離れ、リードスイッチ４０の制御により除湿機の回路を開いて無通電状態で自動停止になる。
【００２４】
上述した構造及び制御方法によれば、本考案のリードスイッチ制御のタンクは、昔の駆動桿７０１がスイッチレバー８０１の下端に係合してしまうという問題がなく、再運転のためにタンク２０を何度も外側へ引いてケース５０に組み合わせることも不要で、不注意で除湿機を揺動したり、ぶつかったりしても浮き部材３０を自動的に水平状に復位することができ、除湿機の回路を通電状態とし、正常に運転することができる。
【符号の説明】
【００２５】
１０ 殻部材
１１ 入り口
１２ 貫通孔
２０ 水受容器
２１ 開口
２２ 切欠き口
３０ 浮き部材
３１ 駆動桿
３２ 磁石
４０ リードスイッチ
４１ 管体
４２ リード
４２１      外部段
４２２      内部段
５０ 殻部材
６０ ケース
７０ 浮き部材
７０１      駆動桿
８０ マイクロスイッチ
８０１      スイッチレバー
【図１】
0003188195.tif 000003
【図２】
0003188195.tif 000004
【図３】
0003188195.tif 000005
【図４】
0003188195.tif 000006
【図５】
0003188195.tif 000007
【図６】
0003188195.tif 000008
【図７】
0003188195.tif 000009
【図８】
0003188195.tif 000010
【図９】
0003188195.tif 000011
【図１０】
0003188195.tif 000012
【図１１】
0003188195.tif 000013